(57)【要約】【課題】吸口体の回転清掃体に絡み付いた塵埃を取り除く時に、吸口体から回転清掃体の取り付け・取り外しを道具を使わずに、簡単にできる電気掃除機とその吸口体を提供することにある。【解決手段】前記上ケース及び前記下ケースで覆われた回転清掃体と、該回転清掃体を取り外し可能とするための軸受押さえ部材と、前記下ケースに回動可能に設けられ、回動させることで前記軸受押さえ部材を前記下ケースに保持させる係止部材とを備えた。【選択図】図３
2008000383.tif 000002
【特許請求の範囲】
【請求項１】
電動送風機と集塵部とを有する掃除機本体と、被清掃面に対面する開口部を有し前記集塵部に連通する吸口体とを備えた電気掃除機において、
前記吸口体は、被掃除面に対面する開口部を有する下ケースと、該下ケースの上方に配置された上ケースと、前記上ケース及び前記下ケースで覆われた回転清掃体と、該回転清掃体を取り外し可能とするための軸受押さえ部材と、前記下ケースに回動可能に設けられ、回動させることで前記軸受押さえ部材を前記下ケースに保持させる係止部材とを備えたことを特徴とする電気掃除機。
【請求項２】
請求項１において、
前記回動係止部材は、前記上ケースと前記下ケースから張り出した支持部を回動軸とし、該回動軸の軸中心から一端側を開閉時の操作部、反対側を係止部としたことを特徴とする電気掃除機。
【請求項３】
請求項１または２において、
前記回動係止部材を吸口体の背面側に設けたことを特徴とする電気掃除機。
【請求項４】
請求項３において、
前記係止部材は前記吸口体中央側から外側に回動した時に前記軸受押さえ部材との係合を解除することを特徴とする電気掃除機。
【請求項５】
請求項１において、
前記軸受押さえ部材は、前記係止部材が回動して開いた時に吸口体から外れないように軸受押さえ部材の一部が前記吸口体に軸支持されていることを特徴とする電気掃除機。
【請求項６】
請求項１から請求項５のいずれかにおいて、
係止部材の回動時，開閉時にその動作が行われていることを認識するために、クリック感を持たせたことを特徴とする電気掃除機。
【請求項７】
電動送風機と集塵部とを有する掃除機本体と、被清掃面に対面する開口部を有し前記集塵部に連通する吸口体とを備えた電気掃除機において、
前記吸口体内に回転清掃体と、前記回転清掃体を駆動するための電動機を備え、
吸口体内に軸受を内蔵する軸受ユニット部とその外周に前記電動機からの駆動力を伝達するプーリーを配置し、前記プーリーと一体で回転し、前記電動機の回転力を伝達する主動軸継手を設け、
前記回転清掃体の一端側には、前記主動軸継手と係合する従動軸継手を有し、他端側に吸口体の軸支部に嵌脱自在に支持される軸受部を有し、
前記主動軸継手と前記従動軸継手を係合する部位は最外周としたことを特徴とする電気掃除機。
【請求項８】
請求項７において、
軸受を内蔵する軸受ユニット部と前記主動軸継手を吸口体内に軸支する軸受部を軸受ユニット部のプーリーを挟んで両側に配設し、主動軸継手と反対側の軸受部とプーリーとの間に軸受冷却用のリブを設けたことを特徴とする電気掃除機。
【発明の詳細な説明】
【技術分野】
【０００１】
本発明は、電気掃除機に関する。
【背景技術】
【０００２】
従来の吸口体は、刷毛やブレードなどの清掃部材を設けた回転清掃体によって被掃除面からごみや塵埃を掻き出して吸引している。
【０００３】
回転清掃体の清掃部材は、糸くずなどの繊維状のものや、髪の毛等が絡み付き易く、一旦絡み付くとこの種の塵埃は回転により徐々に蓄積され、清掃部材を固定する筒状基体に締め付けられようになる。
【０００４】
これを除去するために、はさみやカッターを持ち出して、絡み付いた塵埃を切断して取り除いていた。
【０００５】
この場合、回転清掃体を吸口体から取り外す構造として、例えば特許文献１（特開2000−８３８７４号公報）のようなものが提案されている。特許文献１では、上下ケースの本体と上ケースの上部を覆うカバーとを備え、カバーの縁部にカバー側係止部が設けられ、スライドして被係止部を前記カバー側係止部に対して係合・離脱させるスライド係止部材が吸口本体ケースに設けられている。
【０００６】
また、特許文献２（特開２００４−１６６０５号公報）には、吸口体の下面側に軸受押さえ部材を吸口体本体に着脱可能に保持させるためのロック部材を備えた吸口体が提案されている。
【０００７】
また、回転清掃体と電動機からの駆動源とを連結させる連結機構部には関係なく、回転清掃体を着脱させる構成として、例えば特許文献３（特許第３２４９１８８号公報）のような技術が提案されている。特許文献３では、軸受体に係脱自在に係合される係合部を有し、軸受体と回転清掃体の係合部の一方に、他方が挿入係合される嵌合穴を形成している。
【０００８】
【特許文献１】特開２０００−８３８７４号
【特許文献２】特開２００４−１６６０５号
【特許文献３】特許第３２４９１８８号
【発明の開示】
【発明が解決しようとする課題】
【０００９】
上記従来のスライド方式によるカバーの着脱では、スライド係止部材がケースと摺動する際に、ケースの隙間部から入り込んだ細かい砂や塵埃によって、係合・離脱させる時に重たくなったり，硬くなったりして、動きが渋くなるという問題が生じていた。それにより、指が痛くなる等負担があった。
【００１０】
また、カバーの着脱時、スライド係止部材を可動することになるが、係止部材の位置がどちらに可動すると係合・離脱するのか分かりにくい場合があり、カバーの着脱時にスライド係止部材を何度も操作したりすることがある。
【００１１】
上記従来技術のロック部材を備えた吸口体では、軸受押さえ部材を吸口体本体に着脱可能に保持させるためにロック部材に溝を設け、コイン等で回転させる構造となっている。そのため、回転清掃体を外したい場合は、必ずコインやそれに準ずる道具が必要となり、それを探したり持ち出したりする手間が増えるので、なかなか面倒で億劫になりがちな作業であった。
【００１２】
また、溝形状に一致するコインであれば容易にロック部材の回転が可能であるが、大きさや厚みが異なると溝から外れやすくなり、ロック部材が回転し難く、さらには溝が磨り減ってしまうという心配がある。
【００１３】
上記従来技術の回転清掃体を着脱させる構成として、プーリーの中心にテーパー穴が形成され、このテーパー穴に回転清掃体の一端に形成された円錐台形の係合部が係脱自在に支持されているが、テーパー穴と円錐台形の係合部が密着されていないと、回転清掃体が偏心するなどして十分に駆動力を伝達できないという問題があった。
【００１４】
本発明の目的は、これらの問題を解決し、簡単な構成で、回転清掃体を容易に取り付け・取り外しができる電気掃除機を提供することにある。
【課題を解決するための手段】
【００１５】
本発明は、吸口体の回転清掃体に絡み付いた塵埃を取り除くために、回転清掃体を吸口体から取り外す構造として、軸受押さえ部材と吸口体との開閉手段を係止部材の回動により可能とした。
【００１６】
また、回転清掃体の一端側に、主動軸継手と係合する従動軸継手を有し、他端側に吸口体の軸支部に嵌脱自在に支持される軸受部を有し、前記主動軸継手と従動軸継手を係合する部位を最外周部とした。
【発明の効果】
【００１７】
本発明によれば、回動係止部材は吸口体上ケースと下ケースから張り出した支持部を回動軸とし、軸中心から一端側を開閉時の操作部、反対側を係止部としているので、係止部材の摺動部は回動軸周りと小さい面積となる。したがって、摺動部に細かい砂や塵埃が堆積しても、軸中心から離れた操作部を動作することにより容易に回動することができる。つまり、この原理のように、指の力で係止部材の操作が容易に行える。よって、軸受押さえ部材と吸口体との開閉手段を係止部材の回動で可能となり、回転清掃体を吸口体から取り外す操作が簡単になる。
【００１８】
係止部材を吸口体本体の背面側に設置し、操作部の表面を吸口体の外表面と同一か内側に収まるように構成することにより、家具の隙間などに挿入した際に、係止部材が接触して傷を付けたり、邪魔になることがない。
【００１９】
また、係止部材の操作部を吸口体中央側から外側に回動した時に軸受押さえ部材が開く構造なので、係止部材が吸口体から外側に突出（はみ出し）している時は開いており、係止部材が吸口体内に収まっている時は閉じていると判断できる。したがって、軸受押さえ部材の開閉状態が明確になり、誤って開状態で吸口を動作させることがない。
【００２０】
また、係止部材が回動して軸受押さえ部材を開いた時に、吸口体から外れないように軸受押さえ部材と吸口体とが一部軸支持されているので、紛失や散逸を妨げることができる。
【００２１】
係止部材を回動する際に、クリック感を持たせたことにより、軸受押さえ部材と吸口体が係合・離脱する状態を指の感触と音で認識できるので、簡単操作で確実な作業が提供できる。
【００２２】
また、回転清掃体の従動軸継手と主動軸継手の係合部において、両継手は軸方向および周方向の間隙を介して対向することになるが、継手の最外周部で係合しているので、同じ間隙が中心部付近にある場合よりも、軸芯のずれを小さくすることができる。これにより、回転清掃体の回転時の振れよる騒音の発生が抑えられる。さらに、係合状態が目視確認し易いので、着脱が容易にできるとともに係合部に付着した塵埃も見つけやすく、清掃もし易くなる。
【発明を実施するための最良の形態】
【００２３】
以下、本発明の実施例を図１から図９の図面に従い詳細に説明する。
【実施例１】
【００２４】
図１に本実施例による吸口体の分解斜視図を示す。図１において、１０１は下ケース、１００は下ケースの上方に配置された上ケース、１０４は上ケース１００及び下ケース
１０１で覆われた回転清掃体、１０５は回転清掃体１０４を駆動するための電動機、107は吸口体を持ち上げたときに自動的に回転停止するための安全スイッチ、１０８は電動機側プーリー、１０９は減速プーリーを構成する大プーリー、１１０は減速プーリーを構成する小プーリー、１１１は大プーリー１０９と小プーリー１１０を連結するシャフトである。
【００２５】
電動機１０５によって発生された駆動力を大プーリー１０９と小プーリー１１０を連結するシャフト１１１を介して回転清掃体１０４の回転軸端部に伝達する伝達機構を構成している。
【００２６】
１２０は下ケース１０１の下面側に位置する軸受押さえ部材（図示せず）を開閉するための係止部材であり、上ケース１００と下ケース１０１から張り出した支持部を回動軸とし、組み付けにより上下方向で支持し、係止部材１２０の抜け外れを規制している。
【００２７】
１０２は吸口体本体内部と外部（掃除機本体）とを連通する空気通路が形成された自在継手のうち吸口体本体に対して上下方向に回動可能な第１の接続管、１０３は自在継手のうち前記第１の接続管に対して左右方向に回動可能な第２の接続管である。
【００２８】
図１において、回転清掃体１０４の回転軸に沿う方向を吸口体の左右方向と呼び、この左右方向は通常吸口体の長手方向と一致する。また、吸口体の上下方向に関しては、吸口体を水平な床面上に置いた状態で、開口１１８が形成された側を下面側、反対側を上面側と呼ぶ。また、吸口の進行方向側を正面側，後退方向側を背面側として説明する。
【００２９】
図２に本実施例による電気掃除機の外観図を示す。２０１は後部に吸口体本体が集塵するのに必要な吸気風を発生させる電動送風機（図示せず）を内蔵し、前部には塵埃を集塵する集塵室（図示せず）を内蔵した電気掃除機本体、２０２は電気掃除機本体２０１に接続され、柔軟に可動するように形成されたホース体、２０３は前記ホース体２０２に接続されて前記電気掃除機本体２０１や吸口体２０６を制御する手元スイッチ２０４を内蔵し、ホース体２０２と延長管２０５と連通する流路（図示せず）を持つハンドルグリップである。また、ホース体２０２とハンドルグリップ２０３及び延長管２０５には、吸口体
２０６に電気を供給する給電線（図示せず）が内蔵されている。
【００３０】
図３に本実施例による吸口体本体を下から見たときの平面（下面図）を示す。１１８は吸口体下ケース１０１に設けられた床面開口部で、被清掃面に面する。３０１はバンパー、３００は固定刷毛、３０３は後方車輪である。１０７は吸口体を持ち上げたときに自動的に停止するための安全スイッチであり、１０７ａは被清掃面に設置されているかを検出するための床面検出車輪である。
【００３１】
３１５は軸受ユニット部で、軸受を内蔵し、その外周に電動機１０５からの駆動力を伝達するプーリー３１６を配置し、プーリー３１６を挟んで両側に軸受部を配設し、吸口体内に軸支している。３１７はプーリー３１６と一体で回転し、電動機の回転力を伝達する主動軸継手部である。
【００３２】
回転清掃体１０４の一端側には、主動軸継手部３１７と係合する従動軸継手部３１８を有し、他端側に吸口体の軸支部に嵌脱自在に支持される軸受部３１９を有している。主動軸継手部３１７と従動軸継手部３１８には、最外周に凹凸の歯３１７ａと３１８ａを形成し、両者を噛み合わせることで係合している。３０５は軸受ユニット部３１５を覆うユニット押さえ部材である。
【００３３】
回転清掃体１０４の清掃部材３０７，３０８は、繊維等による刷毛の他、軟質のブレード状のものを用いて構成することができ、刷毛やブレードをそれぞれ単独で、或いは刷毛とブレードとを混在させて構成することができる。また、筒状基体３０６を形成する部材で一体に成形した突出部で清掃部材を構成してもよい。いずれにしても、清掃部材は筒状基体３０６の外周面から外方に突出するように構成される。
【００３４】
３０４は軸受押さえ部材であり、１２０は軸受押さえ部材３０４を吸口本体の下ケース１０１に着脱（開閉）可能に保持させる係止部材であり、吸口体本体の背面側に設置している。
【００３５】
図４，図５に本実施例による係止部材１２０付近の分解斜視図を示す。係止部材１２０は、吸口体上ケース１００と下ケース１０１から張り出した支持部１００ａと１０１ａを回動軸とし、軸中心から一端側を開閉時の操作部１２０ａ，反対側を係止部１２０ｂとし、組み付けにより上下方向で支持し、係止部材１２０の抜け外れを規制している。この係止部材１２０の回動により、軸受押さえ部材３０４と吸口体１０１との開閉（着脱）が可能となる。
【００３６】
軸受押さえ部材３０４の内側側面には、係止部材１２０の係止部１２０ｂが出没できるスリット上の穴３０４ａを有し、先端には下ケース１０１と結合するための爪(図示せず)を設けている。
【００３７】
図５（ａ）は、係止部材１２０の操作部１２０ａを吸口体中央側から外側に回動した時に軸受押さえ部材３０４と係合している係止部１２０ｂが外れ、吸口体１０１から軸受押さえ部材３０４が離脱する状態を示す。（ｂ）は、係止部材１２０の操作部１２０ａを外側から吸口体中央側に回動し、係止部１２０ｂが軸受押さえ部材３０４と係合し、吸口体１０１に装着している状態を示す。操作部１２０ａは吸口体ケースの外表面と同一か内側に収まるように構成している。
【００３８】
次に本実施例の動作を説明する。掃除機使用者がハンドルグリップ２０３に設置されたスイッチ操作部２０４を操作すると、操作されたスイッチに従った動作モードで電気掃除機本体２０１内の電動送風機が運転する。電動送風機によって発生した吸引力は、ホース体２０２，延長管２０５を通って吸口体２０６に到達する。それと同時に、ホース体202および延長管２０５に設けられた電源線から供給された電源が、回路基板１０６を介して電動機１０５を駆動する。
【００３９】
電動機１０５とプーリー，ベルトで連結している回転清掃体１０４が回転することにより、回転清掃体１０４の清掃部材である刷毛やブレードによって被掃除面からごみや塵埃を掻き出して吸い込んでいる。
【００４０】
回転清掃体１０４の清掃部材３０７は、糸くずなどの繊維状のものや、髪の毛等が絡み付き易く、一旦絡み付くとこの種の塵埃は回転により徐々に蓄積され、清掃部材を固定する筒状基体に締め付けられようになる。
【００４１】
図６から図９に従い、前記回転清掃体１０４の清掃部材３０７に絡んだ糸くずなどの繊維状のものや、髪の毛等を取り除く回転清掃体１０４のお手入れ方法について説明する。
【００４２】
まず、使用者がスイッチ操作部２０４により、電源を遮断し、延長管から吸口体２０６を外す。
【００４３】
図６に示すように、吸口体の下面側を上面側に向ける。係止部材１２０の操作部120ａに操作者の指を添え、吸口体中央側から外側に回動し、軸受押さえ部材３０４と係止部
１２０ｂの係合を解除する。そして、図７に示すように吸口体下ケース１０１から軸受押さえ部材３０４を開け、図８のように軸受押さえ部材３０４を外す。次に、図９のように、回転清掃体１０４の軸受部３１９側の清掃部材を摘み、上方に引き上げると、軸受部
３０９が吸口体の軸支部から嵌脱され、次いで回転清掃体１０４を斜め上方に引き上げることにより、従動軸継手部３１８が主動軸継手部３１７との係合から解除され、回転清掃体１０４が吸口体２０６から離脱できる。離脱した回転清掃体１０４に、はさみやカッターを用い、絡み付いた塵埃の除去作業を行う。この時、回転清掃体１０４は水洗いも可能である。
【００４４】
作業後は、上記の逆で、回転清掃体１０４を吸口体２０６に組み込むには、回転清掃体１０４の従動軸継手部３１８の歯を吸口体内部の主動軸継手部３１７の歯に挿入し、両者を噛み合わせることで係合させ、回転清掃体１０４の反対側の軸受部３０９を吸口体の軸支部に上方から押し込む。次に、軸受押さえ部材３０４の爪３０４ａを吸口体下ケース
１０１に引っ掛け、軸受押さえ部材３０４を取り付け、外側にはみ出している係止部材
１２０の操作部１２０ａを吸口体中央側に回動し、軸受押さえ部材３０４と係止部120ｂに係合させればよい。
【００４５】
以上の構成により、回動係止部材１２０は吸口体上ケースと下ケースから張り出した支持部を回動軸としているので、係止部材１２０の摺動部は回動軸周りと小さい面積となる。したがって、ケースの隙間部から入り込んだ細かい砂や塵埃が摺動部に堆積しても、軸中心から離れた操作部を動作することにより容易に回動することができる。つまり、てこの原理のように、指の力で係止部材１２０の操作が容易に行える。少々の塵埃の堆積では係合・離脱させる時に動きが渋くなることはないので塵埃の詰りに有利である。
【００４６】
また、係止部材１２０の操作部１２０ａを吸口体中央側から外側に回動した時に軸受押さえ部材３０４が開く構造なので、操作部１２０ａが吸口体から外側に突出（はみ出し）している時は開いており、操作部１２０ａが吸口体内に収まっている時は閉じていると判断できる。したがって、軸受押さえ部材の開閉状態が明確になり、誤って開状態で吸口を動作させることがない。
【００４７】
また、係止部材１２０を吸口体本体の背面側に設置したことにより、デザインの変更もなく、吸口体の大型化を回避することが可能である。操作部１２０ａは吸口体ケースの外表面と同一か内側に収まるように構成しているので、家具の隙間などに挿入した際に、係止部材が接触して傷を付けたり、邪魔になることがない。
【００４８】
さらに、回転清掃体１０４の取り外し操作には、コインなどの道具が不要なので、なかなか面倒で億劫になりがちな塵埃の清掃作業も容易に行うことができる。
【実施例２】
【００４９】
図１０に本実施例による下ケース４０１の前方下部の部分拡大斜視図を示す。４０２は軸受押さえ部材であり、軸受押さえ部材４０２の先端両側部分に突起部４０２ａを形成し、下ケース４０１に軸支され、回転可能に保持されている。
【００５０】
実施例１と同様に、回転清掃体１０４の清掃作業を行う際に、係止部材１２０を吸口体中央側から外側に回動し、軸受押さえ部材４０２との係合を解除する。次に、吸口体下ケース４０１から軸受押さえ部材４０２を開けるが、軸受押さえ部材４０２の一部が吸口体に支持されて、外れないようにしているので、紛失や散逸を妨げることができる。
【実施例３】
【００５１】
図１１に本実施例による下ケース５０１の係止部材１２０側の部分拡大斜視図を示す。係止部材１２０には、操作部１２０ａ，軸受押さえ部材３０４を開閉するための係止部
１２０ｂと開閉動作時にクリック感を出す案内部１２０ｃが形成されている。下ケース
５０１には前記案内部１２０ｃが回動した時に接触可能になるようにリブ５０２と５０３を設けている。
【００５２】
（ａ）は、軸受押さえ部材３０４と吸口体１０１が係合している状態であり、係止部材１２０の操作部１２０ａは吸口体に収められている。この時、前記案内部１２０ｃをリブ５０３で回動方向の動きを規制している。軸受押さえ部材３０４を開けようと、操作部
１２０ａ中央側から外側に回動すると、まず、前記案内部１２０ｃがリブ５０３に接触し抵抗となるが、回動を続けるとリブ５０３を乗り越える。この時に一度、操作の抵抗感から開放されるクリック感が指に伝わり、操作が開始したことが実感できる。（ｂ）のように、さらに外側に回動すると案内部１２０ｃがリブ５０２に接触し抵抗となり、回動を続けるとリブ５０２を乗り越え、二度目のクリックを感じ、軸受押さえ部材３０４と係合している係止部１２０ｂが外れ、吸口体１０１から軸受押さえ部材３０４が離脱できる状態になったことが実感できる。
【００５３】
軸受押さえ部材３０４を係合する場合は上記と逆になる。
【００５４】
このように、係止部材１２０の回動時に、クリック感を持たせたことにより、軸受押さえ部材３０４と吸口体１０１が係合・離脱する状態を指の感触と音で認識できるので、簡単操作で確実な作業が提供できる。
【実施例４】
【００５５】
図１２に本実施例による主動軸継手部３１７と係合する従動軸継手部３１８の斜視図を示し、図１３に各々の断面図を示す。３１５は軸受ユニット部で、電動機１０５からの駆動力を伝達するプーリー３１６を配置し、プーリー３１６を挟んで両側に軸受３２３と
３２２を内蔵した軸受部３２０と３１９を配設している。３１７はプーリー３１６と軸
３２１を介して一体で回転し、電動機の回転力を伝達する主動軸継手部である。主動軸継手部３１７の外周には、回転力を回転清掃体１０４に伝達するための係合歯３１７ａを形成している。
【００５６】
回転清掃体１０４の一端側には、主動軸継手部３１７と係合する従動軸継手部３１８を有し、最外周に係合歯３１８ａを形成し、両者を噛み合わせることで係合している。主動軸継手部３１７の内周には回転清掃体１０４の円筒筒体が挿入され、外周部には段差を設けて係合歯３１８ａを形成している。
【００５７】
係合歯３１８ａを回転清掃体１０４の外周より外側に設けることにより、係合歯317a，３１８ａの軸方向長さが短くても、係合歯３１８ａの歯の噛み合わせ高さを確保することができ、軸方向の清掃部材の長さを有効に使うことができる。
【００５８】
回転清掃体１０４の主動軸継手部３１７と従動軸継手部３１８の係合部において、両継手部は軸方向および周方向の間隙を介して対向することになるが、継手部の最外周部で係合しているので、同じ間隙が中心部付近にある場合よりも、軸芯のずれを小さくすることができる。
【００５９】
図１４に主動軸継手部３１７の係合歯３１７ａと従動軸継手部３１８の係合歯３１８ａの噛み合わせ状態を示す。係合歯３１７ａと係合歯３１８ａの噛み合う壁面の延長線の交点３３０を主動軸継手部３１７の中心軸よりも外周側に移動したことにより、主動軸継手部３１７の係合歯３１７ａ壁面が係合歯３１８ａ壁面を押す力は、接線方向の力Ｆ１と軸方向の力Ｆ２に分解する。軸方向の力Ｆ２により、従動軸継手部３１８の係合歯３１８ａには外側へ押出される力が働く。このように全ての噛み合わせ箇所でこの力が働くので、お互いが打ち消し合って、主動軸継手部３１７と従動軸継手部３１８の回転が同軸となったところで安定する。
【００６０】
これにより、回転清掃体１０４の回転時の振れよる騒音の発生が抑えられる。
【００６１】
さらに、係合部が外周部で噛み合うため、目視確認し易いので、着脱が容易にできるとともに係合部に付着した塵埃も見つけやすく、清掃もし易くなる。
【実施例５】
【００６２】
図１５に本実施例による軸受ユニット３１５のプーリー部３１６の斜視図を示す。316aはプーリー３１６を挟んで両側に配設している軸受３２３と３２２を冷却するための放射状リブである。
【００６３】
図１３に示すように、軸受３２３と３２２の高速回転によって発生する熱は、軸３２１を伝わって、軸受部３１９の端面が外部空気に触れることによって放熱し、冷却が行われている。本実施例では冷却効果を高めるために、プーリー部３１６に放射状のリブ316ａを設け、軸受部３１９との間で、空気を拡散させ、外部空気へ熱を逃がしている。
【００６４】
したがって、外部空気との循環が効率良くなるので、軸受の温度上昇が起こらず、軸受の寿命劣化を防止できる。
【００６５】
本発明の各実施例は床移動型の掃除機だけでなく、アップライト式やスティック式の掃除機にも適用できる。モータ駆動方式の吸口だけでなく、エアー駆動方式にも適用できる。
【図面の簡単な説明】
【００６６】
【図１】本発明による吸口体の分解斜視図である。
【図２】本発明による電気掃除機の外観図である。
【図３】本発明による吸口体の下面図である。
【図４】本発明の係止部材の装着状態を示す斜視図である。
【図５】本発明の係止部材の部分拡大平面図である。
【図６】本発明による吸口体の部分下面斜視図である。
【図７】本発明による吸口体の部分下面斜視図である。
【図８】本発明による吸口体の部分下面斜視図である。
【図９】本発明による吸口体の下面斜視図である。
【図１０】本発明の第２の実施例を示す下ケースの部分拡大斜視図である。
【図１１】本発明の第３の実施例を示す下ケースの部分拡大斜視図である。
【図１２】本発明の第４の実施例を示す軸継手部の斜視図である。
【図１３】本発明の第４の実施例を示す軸受部の断面図である。
【図１４】本発明の第４の実施例を示す軸継手部の部分拡大図である。
【図１５】本発明の第５の実施例を示すプーリー部の斜視図である。
【符号の説明】
【００６７】
１０４…回転清掃体、１２０…係止部材、１２０ａ…操作部、１２０ｂ…係止部、120c…案内部、２０１…掃除機本体、２０６…吸口体、３０４，４０２…軸受押さえ部材、
３０９…軸受部、３１５…軸受ユニット部、３１６ａ…放射状リブ、３１７…主動軸継手部、３１７ａ，３１８ａ…係合歯、３１８…従動軸継手部、５０２，５０３…リブ。
【図１】
2008000383.tif 000003
【図２】
2008000383.tif 000004
【図３】
2008000383.tif 000005
【図４】
2008000383.tif 000006
【図５】
2008000383.tif 000007
【図６】
2008000383.tif 000008
【図７】
2008000383.tif 000009
【図８】
2008000383.tif 000010
【図９】
2008000383.tif 000011
【図１０】
2008000383.tif 000012
【図１１】
2008000383.tif 000013
【図１２】
2008000383.tif 000014
【図１３】
2008000383.tif 000015
【図１４】
2008000383.tif 000016
【図１５】
2008000383.tif 000017